(57)【要約】【課題】呼出送信器と呼出受信器との間を無線接続することにより呼出送信器の可動範囲を広げたナースコールシステムを提供する。【解決手段】子機接続部を備えるプレート子機とナースコール親機と制御機を有するナースコールシステムであって、被看護人が呼出しのための操作を行う可動部を有する呼出送信器とプレート子機の子機接続部に接続され呼出送信器との間で無線通信を行う呼出受信器とを備え、呼出送信器は可動部の操作を検出して呼出信号を生成する送信器ＣＰＵと送信機ＣＰＵにて生成された呼出信号を無線信号に変換して呼出受信器に送信する無線送信部とを備え、呼出受信器はプレート子機の子機接続部に接続される受信器接続部と呼出送信器の無線送信部から伝送されてくる無線信号を呼出信号に変換し受信器接続部を経由してプレート子機の子機接続部に送出する無線受信部を備えている。【選択図】図１
2014090354.tif 000002
【特許請求の範囲】
【請求項１】
医療・看護施設内の複数の部屋の病床毎に設置され呼出ボタンを接続する子機接続部を備えるプレート子機と、スタッフステーション等の施設内共用部に設置され前記呼出ボタンを用いた被看護人からの呼出しに看護人が応答して通話を成立させるナースコール親機と、前記プレート子機及び前記ナースコール親機を制御する制御機とを有するナースコールシステムであって、
前記子機接続部は、少なくとも１つ設けられ、
前記被看護人が前記呼出しのための操作を行う可動部を有する呼出送信器と、前記プレート子機の前記子機接続部に接続され前記呼出送信器との間で無線通信を行う呼出受信器とを備え、
前記呼出送信器は、前記可動部の操作を検出して呼出信号を生成する送信器ＣＰＵと、前記送信機ＣＰＵにて生成された前記呼出信号を無線信号に変換して前記呼出受信器に送信する無線送信部とを備え、
前記呼出受信器は、前記プレート子機の前記子機接続部に接続される受信器接続部と、前記呼出送信器の前記無線送信部から伝送されてくる前記無線信号を前記呼出信号に変換し前記受信器接続部を経由して前記プレート子機の前記子機接続部に送出する無線受信部とを備えることを特徴とするナースコールシステム。
【請求項２】
前記プレート子機は、前記子機接続部への接続機器が前記呼出ボタン及び前記呼出受信器のうち何れかであることを当該接続機器が有する固有の抵抗値をもとに判別する接続機器判別部と、前記接続機器判別部の判別結果を前記ナースコール親機及び前記制御機のうち何れかに通知する子機ＣＰＵとを備えることを特徴とする請求項１記載のナースコールシステム。
【請求項３】
前記プレート子機は、前記子機接続部への接続機器が前記呼出ボタン及び前記呼出受信器のうち何れかであることを前記接続機器の接続部が有する絶縁リング構造をもとに判別する接続機器判別部と、前記接続機器判別部の判別結果を前記ナースコール親機及び前記制御機のうち何れかに通知する子機ＣＰＵとを備えることを特徴とする請求項１記載のナースコールシステム。
【請求項４】
前記プレート子機は、前記子機接続部に接続されている前記呼出ボタン及び前記呼出受信器のうち何れかが脱落したことを検出する脱落検出部と、前記脱落検出部の検出結果情報を脱落した接続機器に対応させて前記ナースコール親機に通知する子機ＣＰＵとを備え、
前記ナースコール親機は、前記プレート子機の子機ＣＰＵから伝送されてくる検出結果情報をもとに接続機器の脱落を警報発報する親機報知部を備えることを特徴とする請求項１又は請求項２記載のナースコールシステム。
【請求項５】
前記プレート子機には、前記部屋毎の出入り口に設置され前記呼出ボタンを用いた被看護人からの呼出しを報知する廊下灯が接続され、
前記廊下灯は、前記プレート子機の脱落検出部の検出結果を脱落した接続機器に対応させて警報発報する廊下灯報知部を備えることを特徴とする請求項４記載のナースコールシステム。
【請求項６】
前記呼出送信器の前記送信器ＣＰＵは、前記無線送信部から前記呼出受信器の前記無線受信部への前記無線信号の伝送を複数回行うことを特徴とする請求項１乃至請求項５のうち何れか１項記載のナースコールシステム。
【請求項７】
前記呼出送信器は、前記可動部の可動操作により起電力させる発電部を備え、
前記呼出送信器の前記送信器ＣＰＵは、前記発電部にて生成された電力が動作電源となり前記無線送信部から前記呼出受信器の前記無線受信部に前記無線信号を伝送させることを特徴とする請求項１乃至請求項６のうち何れか１項記載のナースコールシステム。
【発明の詳細な説明】
【技術分野】
【０００１】
本発明は、ナースコールシステムに係り、特に病床毎に設置され被看護人とナースコール親機との間で信号を送受するための呼出握りボタンやハンド型子機（以下、「呼出ボタン」と称す）に加えて、呼出送受信器を用いて無線により被看護人とナースコール親機との間で信号を送受できるナースコールシステムに関する。
【背景技術】
【０００２】
従来からナースコールシステムでは各病室に被看護人（患者と同意）が看護人（医療・看護従事者と同意）を呼び出すためのプレート子機（ナースコール子機）が備えられており、このプレート子機には被看護人と看護人との間で信号を送受できる呼出ボタンが接続されている。
【０００３】
このような従来のナースコールシステムにおいては、例えばプレート子機に設置されている呼出ボタンは有線でプレート子機と接続されており、呼出ボタンが押下されると廊下灯及び制御器を介してナースコール親機に呼出信号が送られ、ナースコール親機で呼出信号を受信するとナースコール親機から制御器、廊下灯を介してプレート子機に応答信号が送られ、プレート子機とナースコール親機との間で通話が成立する。
【０００４】
なお、プレート子機には複数の接続部が設けられている場合があり、複数の呼出ボタン（例えば、呼出握りボタンとハンド型子機）が接続されることもある。
【０００５】
上記したように、一般的にプレート子機と呼出ボタンは有線で接続されているが、被看護人の状況によっては呼出ボタンを手で操作することが難しい場合もある。このような場合、例えば足や肘など手以外の体の一部を使い呼出ボタンを押下することも考えられるが、これらの呼出ボタンはプレート子機に有線で接続されているので呼出ボタンの可動範囲に限界があり、被看護人の足や肘などまで呼出ボタンとプレート子機間の接続線を延ばすことは煩雑となり好ましくない。そこで、呼出ボタンとプレート子機との間を無線により接続する技術も開示されている（例えば、特許文献１参照）。
【先行技術文献】
【特許文献】
【０００６】
【特許文献１】特開２００６−２３０４８０号公報
【発明の概要】
【発明が解決しようとする課題】
【０００７】
特許文献１に開示されているような呼出ボタンとプレート子機との間を無線により接続するナースコールシステムにおいては呼出ボタンとプレート子機との間の距離の問題は解決されるが、手で呼出ボタンを操作できない被看護人にとって足や肘を使って呼出ボタンを操作することは極めて困難である。
【０００８】
このように被看護人が手以外の体の一部を使って呼出ボタンを操作する場合、安定して呼出操作を行う必要があるが、従来の呼出ボタンでは足や肘など手以外の体の一部を使って確実に呼出操作を行うことは困難である。従って、手以外の体の一部を使ってボタンを操作する場合には呼出ボタンは病床上あるいはその場所以外で操作をしても安定してナースコール親機を呼出せるような構成となっている必要がある。
【０００９】
また、従来のナースコールシステムでは、１つのプレート子機に複数の接続部、例えば２つの接続部が設けられ、それぞれの接続部に呼出ボタン（例えば呼出握りボタンとハンド型子機）が接続されている場合、どちらの種類の呼出ボタンを使用するかによって手動で切り換える必要があった。
【００１０】
一方、特許文献１に記載のプレート子機では無線子機の記載はあるものの具体的な呼出ボタンやハンド型子機のような接続機器の構成についてはまったく明示されていない。
【００１１】
本発明は上記の課題を解決するためになされたもので、呼出ボタンとプレート子機を従来のように有線接続することができるとともに呼出ボタンに相当する無線接続用の呼出送信器からの信号を受信する呼出受信器とプレート子機も接続できるようにし、呼出送信器と呼出受信器との間を無線接続することにより呼出送信器の可動範囲を広げ、また呼出送信器の構成を足や肘などの手以外の体の一部を使っても安定して確実にナースコール親機を呼出せるようにし、従来に比べてより利便性の高いナースコールシステムを提供できるようにしたものである。
【課題を解決するための手段】
【００１２】
本発明によるナースコールシステムの第１の態様によれば、医療・看護施設内の複数の部屋の病床毎に設置され呼出ボタンを接続する子機接続部を備えるプレート子機と、スタッフステーション等の施設内共用部に設置され呼出ボタンを用いた被看護人からの呼出しに看護人が応答して通話を成立させるナースコール親機と、プレート子機及びナースコール親機を制御する制御機とを有するナースコールシステムであって、子機接続部は、少なくとも１つ設けられ、被看護人が呼出しのための操作を行う可動部を有する呼出送信器と、プレート子機の子機接続部に接続され呼出送信器との間で無線通信を行う呼出受信器とを備え、呼出送信器は、可動部の操作を検出して呼出信号を生成する送信器ＣＰＵと、送信機ＣＰＵにて生成された呼出信号を無線信号に変換して呼出受信器に送信する無線送信部とを備え、呼出受信器は、プレート子機の子機接続部に接続される受信器接続部と、呼出送信器の無線送信部から伝送されてくる無線信号を呼出信号に変換し受信器接続部を経由してプレート子機の子機接続部に送出する無線受信部とを備えることを特徴とする。
【００１３】
また、本発明によるナースコールシステムの第２の態様によれば、第１の態様において、プレート子機は、子機接続部への接続機器が呼出ボタン及び呼出受信器のうち何れかであることを当該接続機器が有する固有の抵抗値をもとに判別する接続機器判別部と、接続機器判別部の判別結果をナースコール親機及び制御機のうち何れかに通知する子機ＣＰＵとを備えることを特徴とする。
【００１４】
さらに、本発明によるナースコールシステムの第３の態様によれば、第１の態様において、プレート子機は、子機接続部への接続機器が呼出ボタン及び呼出受信器のうち何れかであることを接続機器の接続部が有する絶縁リング構造をもとに判別する接続機器判別部と、接続機器判別部の判別結果をナースコール親機及び制御機のうち何れかに通知する子機ＣＰＵとを備えることを特徴とする。
【００１５】
また、本発明によるナースコールシステムの第４の態様によれば、第１又は第２の態様において、プレート子機は、子機接続部に接続されている呼出ボタン及び呼出受信器のうち何れかが脱落したことを検出する脱落検出部と、脱落検出部の検出結果情報を脱落した接続機器に対応させてナースコール親機に通知する子機ＣＰＵとを備え、ナースコール親機は、プレート子機の子機ＣＰＵから伝送されてくる検出結果情報をもとに接続機器の脱落を警報発報する親機報知部を備えることを特徴とする。
【００１６】
さらに、本発明によるナースコールシステムの第５の態様によれば、第４の態様において、プレート子機には、部屋毎の出入り口に設置され呼出ボタンを用いた被看護人からの呼出しを報知する廊下灯が接続され、廊下灯は、プレート子機の脱落検出部の検出結果を脱落した接続機器に対応させて警報発報する廊下灯報知部を備えることを特徴とする。
【００１７】
また、本発明によるナースコールシステムの第６の態様によれば、第１から第５の態様のうち何れか１つの態様において、呼出送信器の送信器ＣＰＵは、無線送信部から呼出受信器の無線受信部への無線信号の伝送を複数回行うことを特徴とする。
【００１８】
さらに、本発明によるインターホン装置の第７の態様によれば、第１から第６の態様のうち何れか１つの態様において、呼出送信器は、可動部の可動操作により起電力させる発電部を備え、呼出送信器の送信器ＣＰＵは、発電部にて生成された電力が動作電源となり無線送信部から呼出受信器の無線受信部に無線信号を伝送させることを特徴とする。
【発明の効果】
【００１９】
このように構成された本発明のナースコールシステムによれば、被看護人がナースコール親機を呼び出す際に従来の有線による呼出ボタンばかりでなく無線による呼出送信器による方法も使用することができるので、呼出送信器の可動範囲を広げることが可能で、又呼出送信器の構成を手以外の体の一部を使っても操作を行えるようにしたので被看護人にとって利便性が高まり、さらにプレート子機に有線による呼出ボタンが接続されているか無線による呼出受信器が接続されているかをナースコール親機側で認識できるとともに呼出ボタンや呼出受信器が脱落している場合も自動的に検知できるナースコールシステムを提供できる。
【図面の簡単な説明】
【００２０】
【図１】本発明のナースコールシステムの構成を示すシステム説明図である。
【図２】本発明のナースコールシステムの呼出送信器、呼出受信器及びプレート子機のブロック図である。
【図３】本発明のナースコールシステムの廊下灯、ナースコール親機のブロック図である。
【図４】本発明のナースコールシステムのナースコール親機における画面表示例である。
【発明を実施するための形態】
【００２１】
以下、本発明によるナースコールシステムを適用した好ましい実施の形態について図面を参照して説明する。
【００２２】
図１は、本発明の実施例によるナースコールシステムの全体構成を示すシステム説明図である。このナースコールシステム１は、病院等の医療・看護施設内に設置されるものであり、プレート子機２、呼出送信器３、呼出受信器４、廊下灯５、ナースコール親機６及び制御機７を有している。
【００２３】
ここで、プレート子機２は、子機ラインＬ１を経由して廊下灯５に接続されており、ここではそれぞれ個別配線で接続されている。また、制御機７には、廊下灯ラインＬ２を経由して廊下灯５が接続されており、ここでは一例として渡り配線で接続されているとともに、親機ラインＬ３を経由してナースコール親機６が接続されている。
【００２４】
なお、プレート子機２及び廊下灯５間の接続は、図示のような個別配線の接続に限定されるものではなく、例えば、複数台の当該プレート子機２を順次に廊下灯５に接続する渡り配線の態様も適用できる。また、廊下灯５及び制御機７間の接続についても、図示のような渡り配線の接続に限定されるものではなく、例えば、バス接続の態様も適用できる。
【００２５】
プレート子機２は、それぞれ同様な構成で個別の子機ＩＤを有しており、病院等の医療・介護施設における例えば、３０１号室、３０２号室、・・・・のような複数の部屋内の各病床の被看護人が、例えば、ナースコール親機６が設置されるスタッフステーション等の施設内共用部に在室中の看護人に対し、通常呼出し、トイレ・風呂介助等を求める緊急呼出し、点滴の終了を知らせる確認呼出し等、ナースコール呼出しの呼出種別毎に異なる所定の呼出操作を行う呼出ボタン８が子機接続部９に接続されるとともに、この被看護人が看護人との間で音声を送受信して通話を成立させるものである。ここで、プレート子機２は、部屋内の病床数に対応させて複数台、任意に設けることができる（図１（Ａ））。
【００２６】
一方、呼出送信器３は、呼出ボタン８に代えて被看護人が呼出しのための操作を行うものであり、例えば、図１（Ｂ）に示すような病床毎のベッド上に設置されるナースコール用無線押しボタン、又は図１（Ｃ）に示すような被看護人により携行されるナースコール用ペンダントボタンで構成される可動部３１を有している。ここで、可動部３１としてナースコール用無線押しボタンを有する呼出送信器３は形状的に病床上に安定して載置することができる構造になっており、手あるいは指を用いてボタンを押下することももちろん可能であるが足や肘等の手以外の体の一部を使ってボタンを押下できるようになっている。
【００２７】
また可動部３１としてナースコール用ペンダントボタンを有する呼出送信器３の場合には、被看護人が例えば首に掛けて携行できるようになっており、被看護人が病床から離れてもナースコール呼出しが可能となっている。この可動部３１は被看護人が確実にボタンを押下できるもので、従来の呼出ボタンでは操作が難しかった被看護人に対しても操作可能な構造を有している。
【００２８】
また、呼出受信器４は、呼出送信器３からの無線信号を受信するもので、受信器接続部４１を有しており、この受信器接続部４１が呼出ボタン８に代えてプレート子機２の子機接続部９に接続される。
【００２９】
廊下灯５は、それぞれ同様な構成で個別の廊下灯ＩＤを有しており、前述のような各部屋の出入口近傍である廊下先に設置されるものであって、呼出ボタン８又は呼出送信器３を用いた被看護人からのナースコール呼出を、通常呼出、トイレ・風呂介助等を求める緊急呼出、点滴の終了を知らせる確認呼出等、呼出種別毎に異なるパターンで報知するものである。
【００３０】
ナースコール親機６は、前述のようなスタッフステーション等の施設内共用部に設置され、呼出ボタン８又は呼出送信器３を用いた被看護人からのナースコール呼出しを、通常呼出し、トイレ・風呂介助等を求める緊急呼出し、点滴の終了を知らせる確認呼出し等、呼出種別毎に異なるパターンで報知するとともに、これを確認した看護人が被看護人との間で音声を送受信して通話を成立させるものである。
【００３１】
なお、ナースコール親機６には、通常、プレート子機２を個別呼出し又は一斉呼出しする機能が備えられている。また、ナースコール親機６の構成態様としては、図示のような電子情報出力型の当該親機に限定されず、例えば、ＰＣ（パーソナル・コンピュータ）型やボード型の当該親機も適用できる。
【００３２】
制御機７は、前述のような施設内共用部に設置されており、廊下灯ラインＬ２を経由して廊下灯５、５、・・・、親機ラインＬ３を経由してナースコール親機６をそれぞれ接続する中継器として、これら接続された機器を制御するものである。制御機７は被看護人の病室、氏名、診療科目、救護区分等の被看護人に係る各種情報テーブルや子機ＩＤや廊下灯ＩＤ、接続機器の種類、接続機器の脱落状況等を記憶する制御機記憶部７１を有している。なお、制御機記憶部７１はナースコール親機６内に親機記憶部として設けてもよい。
【００３３】
次に、呼出送信器３の具体的な構成について、図２のブロック図を参照して説明する。同図に示す呼出送信器３には、可動部３１、送信器ＣＰＵ３２、無線送信部３３及び発電部３４が備えられている。
【００３４】
この呼出送信器３において、可動部３１は、被看護人が看護人に対し、通常呼出し、トイレ・風呂介助等を求める緊急呼出し、点滴の終了を知らせる確認呼出し等、ナースコール呼出しに係る呼出種別毎に異なる所定の呼出操作を行うものである。
【００３５】
送信器ＣＰＵ３２は、可動部３１の操作を検出して呼出信号を生成するものである。また、無線送信部３３は、送信器ＣＰＵ３２にて生成された呼出信号を無線信号に変換して呼出受信器４に送信するものである。
【００３６】
発電部３４は、被看護人により可動部３１が操作されることで発生する起電力を生成し、当該呼出送信器の動作電源として電源供給するものである。なお、発電部３４に代えて電源部３５を設けてもよい。電源部３５は、当該呼出送信器の動作電源を電源供給するものであって、例えば、ボタン電池や太陽電池で構成されている。
【００３７】
次に、呼出受信器４の具体的な構成について、図２のブロック図を参照して説明する。同図に示す呼出受信器４には、受信器接続部４１、無線受信部４２が備えられている。
【００３８】
この呼出受信器４において、受信器接続部４１は、自受信器をプレート子機２の子機接続部９に接続するものである。また、無線受信部４２は、呼出送信器３の無線送信部３３から伝送されてくる無線信号を呼出信号に変換し受信器接続部４１を経由してプレート子機２の子機接続部９に送出するものである。
【００３９】
さらに、プレート子機２の具体的な構成について、図２のブロック図を参照して説明する。同図に示すプレート子機２には、子機接続部９、接続機器判別部２１、脱落検出部２２、子機通話部２３、子機ＣＰＵ２４及び子機インターフェース（Ｉ／Ｆ）２５が備えられている。
【００４０】
このプレート子機２において、子機接続部９は、少なくとも１つ設けられ、２つ以上設けられている場合には、例えば呼出ボタン８又は呼出受信器４の受信器接続部４１がそれぞれライン接続されるものである。ここで、子機接続部９が複数設けられている場合、呼出ボタン８及び呼出受信器４のうち同一種の接続機器がライン接続されることはない。
【００４１】
接続機器判別部２１は、子機接続部９への接続機器が呼出ボタン８及び呼出受信器４のうち何れの機器であるかを当該接続機器が有する固有の抵抗値をもとに判別するものである。判別方法としては、呼出ボタン８あるいは呼出受信器４のコネクタを子機接続部９のコネクタと接続した場合、呼出ボタン８あるいは呼出受信器４のコネクタの抵抗値がそれぞれ固有の異なる抵抗値となるように設計しておく。このようにすると、呼出ボタン８を接続した時と呼出受信器４を接続した時の抵抗値が異なって検出されるため、その抵抗値を判別することにより子機接続部９への接続機器が呼出ボタン８か又は呼出受信器４かを特定することができる。その抵抗値としては、例えば、呼出ボタン８の場合は１０ｋΩ、呼出受信器４の場合は２０ｋΩである。また、接続機器の判別結果については子機ＣＰＵ２４により廊下灯５を介して制御機７に通知され、制御機記憶部７１に記憶される。
【００４２】
他の判別方法としては、例えば図１（Ｄ）に示すように、接続機器の接続部、即ち呼出ボタン８あるいは呼出受信器４の子機接続部９への接続部（差し込み端子）を絶縁リング構造としてもよい。図１（Ｄ）においては絶縁５本、６端子の構造を示しているが、他に例えば絶縁２本、３端子の構造とし、これらの２種類の構造の一方を呼出ボタンの端子、他方を呼出受信器の受信器接続部の端子とすることによって、端子の抵抗値が異なっているのでどちらの接続機器が接続されているかが判別できる。
【００４３】
脱落検出部２２は、子機接続部９に接続されている呼出ボタン８及び呼出受信器４のうち何れの機器が脱落したかを検出するものである。即ち、それぞれ抵抗値が異なる呼出ボタン８及び呼出受信器４の接続部が子機接続部９に接続されているが、このどちらか若しくは双方が脱落した場合、脱落検出部２２において抵抗値の変化を検出してどの接続機器が脱落したかを検出できるようになっている。脱落検出部２２が接続機器の脱落を検出した場合、接続機器の脱落があったことを子機ＣＰＵ２４により廊下灯５を介して制御機７に通知され、制御機記憶部７１に記憶される。また、この接続機器の脱落はナースコール親機６の親機表示部６１及び親機通話部６３からなる親機報知部により音声あるいは画面表示にて警報発報することができる。同様に廊下灯５においても廊下灯表示部５１及び廊下灯通話部５３からなる廊下灯報知部により接続機器の脱落を音声あるいは画面表示にて警報発報することができる。
【００４４】
子機ＣＰＵ２４は、当該プレート子機２の構成各部を制御するものである。また、子機Ｉ／Ｆ２５は、子機通話部２３及び子機ラインＬ１間の信号伝送路、子機ＣＰＵ２４及び子機ラインＬ１間の信号伝送路をそれぞれ形成するものである。
【００４５】
次に、ナースコール親機６の具体的な構成について、図３のブロック図を参照して説明する。同図に示すナースコール親機６には、親機表示部６１、親機操作部６２、親機通話部６３、親機記憶部６４、親機ＣＰＵ６５及び親機Ｉ／Ｆ６６が備えられている。
【００４６】
このナースコール親機６において、親機表示部６１は、呼出ボタン８又は呼出送信器３を用いた被看護人からの呼出しを、呼出種別毎、異なるパターンで表示するものであって、例えば、ＬＣＤ、有機ＥＬディスプレイ等の各種の表示媒体にて構成されている。また、親機操作部６２は、前述のような被看護人からの呼出しに看護人が応答する操作を行うものである。
【００４７】
親機通話部６３は、看護人が被看護人との間で通話を成立させる音声を送受信するものであり、例えば、図１に示すようにマイク６７及びスピーカ６８にて構成されている。ここで、親機通話部６３を構成するスピーカ６８は、前述のようなナースコール呼出しがあることを報知する呼出音や音声メッセージ等を出力することもできる。なお、親機通話部６３としては、ハンドセットを適用することもできる。
【００４８】
親機ＣＰＵ６５は、当該ナースコール親機６の構成各部を制御するものである。また、親機Ｉ／Ｆ６６は、親機通話部６３及び親機ラインＬ3間の信号伝送路、親機ＣＰＵ６５及び親機ラインＬ３間の信号伝送路をそれぞれ形成するものである。
【００４９】
親機記憶部６４は、前述の制御機記憶部７１に代えて設けることができるもので、被看護人の病室、氏名、診療科目、救護区分等の被看護人に係る各種情報テーブルや子機ＩＤや廊下灯ＩＤ、接続機器の種類、接続機器の脱落状況等を記憶する。
【００５０】
次に、廊下灯５の具体的な構成について、図３のブロック図を参照して説明する。同図に示す廊下灯５は、廊下灯表示部５１、廊下灯操作部５２、廊下灯通話部５３、廊下灯ＣＰＵ５４、子機側廊下灯Ｉ／Ｆ５５及び制御機側廊下灯Ｉ／Ｆ５６が備えられている。
【００５１】
この廊下灯５において、廊下灯表示部５１は、被看護人名、在室・不在状況、被看護人の救護区分等の被看護人に係る各種情報を表示するものであり、例えば、ＬＣＤ、有機ＥＬディスプレイ等の各種の表示媒体で構成されている。
【００５２】
廊下灯操作部５２は、当該廊下灯５の周囲近傍に居る看護人により操作され、例えば、廊下灯表示部５１の前面に設置されたタッチパネルや所定の操作ボタンで構成されている。
【００５３】
廊下灯通話部５３は、当該廊下灯５の周囲近傍に居る看護人が被看護人又は他の看護人との間で通話を成立させる音声を送受信するものであり、例えば、マイク及びスピーカで構成されている。ここで、廊下灯通話部５３を構成するスピーカは、前述のようなナースコール呼出しがあることを報知する呼出音や音声メッセージ等を出力することもできる。
【００５４】
廊下灯ＣＰＵ５４は、当該廊下灯５の構成各部を制御するものである。また、子機側廊下灯Ｉ／Ｆ５５は、子機通話部２３及び子機ラインＬ１間の信号伝送路を形成するものであり、さらに、制御機側廊下灯Ｉ／Ｆ５６は、制御器７及び廊下灯ラインＬ２間の信号伝送路を形成するものである。
【００５５】
このように構成された本発明のナースコールシステムにおいて、以下具体的な動作について説明する。なお、呼出ボタン８による動作については従来の技術と同様のためその説明を省略し、ここでは無線接続による呼出送受信器の動作について説明する。
【００５６】
無線接続による呼出送受信器の動作については、複数の部屋毎の各病床に居る被看護人のうち、特定の被看護人が、スタッフステーション等の施設内共用部に在室中の看護人や携帯端末１０（図１）を携行して施設内を移動中の看護人のうち例えば、特定の被看護人の担当看護人を呼出すために、プレート子機２を構成する呼出送信器３及び呼出受信器４を使用してナースコール親機６を呼出すための操作を行うと、この操作を検出したプレート子機２は、自子機が有する子機ＩＤ及び呼出機器の種別情報を付加したナースコール呼出信号を子機ＣＰＵ２４で生成する。このナースコール呼出信号は、子機ラインＬ１を経由して自部屋の出入り口近傍に設置された廊下灯５に伝送される。
【００５７】
なお、呼出送信器３から呼出受信器４への無線信号の呼出しは複数回行うように設定されているのが好ましい。即ち、呼出送信器３の送信器ＣＰＵ３２は、被看護人が１回呼出送信器３の可動部３１を押下すると無線送信部３３から呼出受信器４の無線受信部４２への無線信号を複数回送信する動作を行う。このようにすると被看護人からナースコール親機６への呼出しが確実に行えるようになる。
【００５８】
廊下灯５は、プレート子機２を構成する呼出受信器４から伝送されてきたナースコール呼出信号に付加されている子機ＩＤ及び呼出機器種別情報をもとに、病床に設置されている特定の被看護人のプレート子機２からの呼出しがあることを検出し、その旨の報知（呼出表示、呼出発報）を行うとともに、受信したナースコール呼出信号に自廊下灯が有する廊下灯ＩＤを付加し、このナースコール呼出信号を、廊下灯ラインＬ２を経由して制御機７に送出する。
【００５９】
制御機７は、プレート子機２から廊下灯５を経由して伝送されてきたナースコール呼出信号を受信すると、このナースコール呼出信号に付加されている子機ＩＤ、廊下灯ＩＤ及び呼出機器種別情報を検出し、制御機記憶部７１に記憶されている被看護人の各種情報テーブルと対照し、ナースコール親機６にナースコール呼出しを通知する当該信号として、前述の子機ＩＤ、廊下灯ＩＤ及び呼出機器種別情報を付加した親機用ナースコール呼出報知信号を生成する。この親機用ナースコール呼出報知信号は、制御機７から親機ラインＬ３、ナースコール親機６の親機Ｉ／Ｆ６６を経由して親機ＣＰＵ６５に伝送される。
【００６０】
ナースコール親機６の親機ＣＰＵ６５は、制御機７から伝送されてきた親機用ナースコール呼出報知信号を受信すると、この親機用ナースコール呼出報知信号に付加されている子機ＩＤ、廊下灯ＩＤ及び呼出機器種別情報をもとに、被看護人の病床に設置されているプレート子機２からのナースコール呼出しがある旨の呼出音や音声メッセージ等について親機通話部６３を構成するスピーカ６８から出力させるとともに、同様なナースコール呼出しがある旨の呼出表示を親機表示部６１にて行う。
【００６１】
呼出表示は図４に示すようにフロア病床レイアウトあるいは被看護人のリストを親機表示部６１の画面上に表示させることができ（図においてはフロア病床レイアウトを表示）、特に呼出元である被看護人については図示のように親機表示部６１の一部に拡大表示させることができる。なお、呼出元である被看護人の表示としては、病室、氏名、診療科目、救護区分等の被看護人に係る各種情報及び子機接続部９に接続されている機器の種別を併せて表示させることができる。
【００６２】
このように、ナースコール親機６の親機表示部６１は縦長であるため、特に、被看護人のフロア病床レイアウトの表示を行うにあたっては、施設内における特定フロアの病床レイアウトを表示させた状態で呼出表示できるため、これを確認する看護人に対して視認性が高められる。
【００６３】
次に、前述のようなナースコール呼出しに係る所定の報知（呼出表示、呼出発報）を確認した看護人のうち、最先に応答操作を行ったスタッフステーション等の施設内共用部に在室中の看護人が、ナースコール親機６の操作部から応答操作を行うと、この操作を検出した親機ＣＰＵ６５は、親機通話部６３が有する通話機能を能動とするとともに親機ナースコール応答信号を生成する。この親機ナースコール応答信号は、前述の親機用ナースコール呼出報知信号と逆の信号伝送路を経由して制御機７に伝送される。
【００６４】
制御機７は、ナースコール親機６から伝送されてきた親機ナースコール応答信号を受信すると、呼出元であるプレート子機２の通話機能を能動とするための子機用通話制御信号を生成する。この子機用通話制御信号は、前述のナースコール呼出信号と逆の信号伝送路を経由してプレート子機２に伝送される。
【００６５】
プレート子機２は、制御機７から伝送されてきた子機用通話制御信号を受信すると通話機能が能動となる。この制御により、ナースコール呼出しの呼出元である被看護人が使用するプレート子機２と、子機ラインＬ１、廊下灯５、廊下灯ラインＬ２、制御機７、親機ラインＬ３、ナースコール親機６の親機Ｉ／Ｆ６６を介して親機通話部６３との間の信号通話路が形成され、形成された信号伝送路を経由して音声を送受信させることにより、被看護人とスタッフステーション等の施設内共用部に在室中の看護人との間で通話が成立する。
【産業上の利用可能性】
【００６６】
本発明のナースコールシステムは、図１に示すように、従来技術と同様に看護人が携帯端末１０を携行し、基地局１１との間で無線によりプレート子機２と通話できるようにすることも可能である。この時基地局１１は交換機１２を介して制御器７と接続されている。
【００６７】
また、本発明のナースコールシステムにおいては、ナースコール親機、制御機、廊下灯の配線を渡り配線で説明しているが、ナースコール親機、制御機、廊下灯などを個別にＬＡＮ配線に接続するようにしてもよく、ＬＡＮ配線には被看護人の病歴などのデータを格納するサーバやオーダリングサーバなどを接続することもできる。
【符号の説明】
【００６８】
１・・・ナースコールシステム
２・・・プレート子機
２１・・・接続機器判別部
２２・・・脱落検出部
２３・・・子機通話部
２４・・・子機ＣＰＵ
２５・・・子機Ｉ／Ｆ
３・・・呼出送信器
３１・・・可動部
３２・・・送信器ＣＰＵ
３３・・・無線送信部
３４・・・発電部
３５・・・電源部
４・・・呼出受信器
４１・・・受信器接続部
４２・・・無線受信部
５・・・廊下灯
５１・・・廊下灯表示部
５２・・・廊下灯操作部
５３・・・廊下灯通話部
５４・・・廊下灯ＣＰＵ
５５・・・子機側廊下灯Ｉ／Ｆ
５６・・・制御機側廊下灯Ｉ／Ｆ
６・・・ナースコール親機
６１・・・親機表示部
６２・・・親機操作部
６３・・・親機通話部
６４・・・親機記憶部
６５・・・親機ＣＰＵ
６６・・・親機Ｉ／Ｆ
７・・・制御機
７１・・・制御機記憶部
８・・・呼出ボタン
９・・・子機接続部
【図１】
2014090354.tif 000003
【図２】
2014090354.tif 000004
【図３】
2014090354.tif 000005
【図４】
2014090354.tif 000006